(57)【要約】【課題】  触覚によって吐出口の吐出方法を容易に把握でき、視覚障害者でも負担無く、かつ安全に内容物を目的の方向に吐出できる容器を提供する。【解決手段】  容器本体１１には、吐出口１２の吐出方向Ｐに向かって湾曲しつつ傾斜するリブ状の凹凸１５が一体に形成されている。この凹凸１５は、例えば高さが０．５〜１０ｍｍ程度の段差で表現されれば良く、略垂直な容器本体１１の側面から、吐出口１２の吐出方向Ｐに向かって湾曲して延びている。【選択図】        図１
2006232284.tif 000002
【特許請求の範囲】
【請求項１】
一方向に向けて内容物を吐出させる吐出口と、前記内容物を収容する容器本体と、前記容器本体に形成され、前記吐出口の吐出方向を示す凹凸とを備えたことを特徴とする容器。
【請求項２】
前記凹凸は、前記容器本体に一体に形成されていることを特徴とする請求項１記載の容器。
【請求項３】
前記凹凸の高さが０．５〜１０ｍｍの範囲に設定されることを特徴とする請求項１または２に記載の容器。
【請求項４】
前記吐出口を覆う開閉自在なヒンジキャップをさらに備えたことを特徴とする請求項１ないし３のいずれか１項に記載の容器。
【請求項５】
前記吐出口は屈曲可能に形成されることを特徴とする請求項１ないし４のいずれか１項に記載の容器。
【発明の詳細な説明】
【技術分野】
【０００１】
本発明は、液体などの内容物を一方向に向けて吐出させる容器に関する。
【背景技術】
【０００２】
例えば、各種液体洗剤は、一方向に内容物を吐出する先細の吐出口を備えた容器（ボトル）に収容されて販売されているものが多い。こうした吐出口を備えた容器は、吐出口での内容物の乾燥、固化を防止するために、開閉自在なヒンジ状のキャップを備えていることが多い。このような容器の使用にあたっては、キャップを一方向に回動させて開き、目的の吐出方向に吐出口が向くように容器を傾けて、容器を押圧するなどして目的の吐出方向に内容物を吐出させる。
【０００３】
一方、近年のバリアフリー化の一層の推進に対応して、各種液体洗剤などを収容した容器なども、視覚障害者などにも使いやすくするために、例えば、特許文献１には、容器の外面凹凸を形成して、シャンプーとリンスとを触覚によって識別可能な毛髪化粧料ペア容器が開示されている。
【特許文献１】実開平５−５０１７号公報
【発明の開示】
【発明が解決しようとする課題】
【０００４】
一方向に内容物を吐出する吐出口を備えた容器を視覚障害者が扱う場合、手の触覚によってキャップを開放した後、吐出口を触って吐出方向を確認した上で容器を押圧して、目的の吐出方向に内容物を吐出するという手順が一般的である。しかし、こうした容器を使用するたびに吐出口を触って吐出方向を確認するのは視覚障害者にとって負担である。また、内容物が例えばカビ取り剤など刺激性の薬剤の場合、吐出口にこうした薬剤が付着している可能性があり、手で吐出口を触ることは好ましくない。
【０００５】
上述した特許文献１には、外周面に凹凸を設けることで視覚障害者にも使い勝手のよい容器を実現している。しかしながら、特許文献１に示す毛髪化粧料ペア容器は、シャンプーとリンスとを触覚によって区別するための識別手段として定着しつつあり、吐出口の吐出方向の向きを知ることはできない。また、特許文献１に記載された識別手段を吐出方向の指示に使用することは、特許文献１で目的としているシャンプーとリンスとを触覚によって区別するという目的と混同して、使用者に混乱をもたらしてしまう。
【０００６】
本発明は、上記事情に鑑みてなされたものであって、触覚によって吐出口の吐出方法を容易に把握でき、視覚障害者でも負担無く、かつ安全に内容物を目的の方向に吐出できる容器を提供することを目的とする。
【課題を解決するための手段】
【０００７】
上記の目的を達成するために、本発明によれば、一方向に向けて内容物を吐出させる吐出口と、前記内容物を収容する容器本体と、前記容器本体に形成され、前記吐出口の吐出方向を示す凹凸とを備えたことを特徴とする容器が提供される。
【０００８】
前記凹凸は、前記容器本体に一体に形成されていればよい。また、前記凹凸の高さが０．５〜１０ｍｍの範囲に設定されればよい。前記吐出口を覆う開閉自在なヒンジキャップをさらに備えていることが好ましい。前記吐出口は屈曲可能に形成されていればよい。
【発明の効果】
【０００９】
本発明の容器によれば、凹凸を吐出口の吐出方向に向かって延びるように形成することによって、例えば、視覚障害者であっても、容器の外面を掴むだけで、吐出口の吐出方向に向かって延びる凹凸を容易に触覚検出することができる。凹凸の傾斜方向を手で触れてなぞることで、容易に吐出口の吐出方向を知ることが可能になる。
【００１０】
吐出口の吐出方向を示す凹凸を容器に形成することによって、視覚障害者であっても、吐出口に手で触って吐出方向を探さずに、凹凸に手を触れるだけで吐出方向を知ることができるので、吐出口に付着していた内容物が手に付くこともなく、安全かつ確実に内容物を目的の方向に吐出させることが可能になる。
【発明を実施するための最良の形態】
【００１１】
以下、本発明の実施の形態について、図面を交えて説明する。図１は、本発明の容器を示す外観斜視図であり、図２はその側面平面図である。本発明の容器１０は、例えば内容物として台所用の洗剤を収納される。容器１０は、樹脂等で形成された容器本体１１と、ノズル状の吐出口１２を備えた吐出部１３とから形成されている。
【００１２】
吐出部１３は、容器本体１１に対して、例えば、ねじ溝の噛み合わせによって係合されればよい。また、吐出部１３の一端には、吐出口１２を覆うヒンジキャップ１４が一体に形成されていれば良い。こうしたヒンジキャップ１４は、吐出口１２に残留した洗剤などの内容物が乾燥して固化し、吐出口１２を塞いでしまうことを防止する。吐出口１２は、屈曲したノズル形状を成し、吐出方向Ｐに向けて洗剤などの内容物を吐出させる役割を果たす。
【００１３】
容器本体１１は、例えばブロー成形法などによって、全体が例えば略楕円形状に形成される。こうした容器本体１１には、吐出口１２の吐出方向Ｐに向かって湾曲しつつ傾斜するリブ状の凹凸１５が一体に形成されている。この凹凸１５は、例えば高さが０．５〜１０ｍｍ程度の段差で表現されれば良く、略垂直な容器本体１１の側面から、吐出口１２の吐出方向Ｐに向かって湾曲して延びている。
【００１４】
このような凹凸１５を吐出口１２の吐出方向Ｐに向かって湾曲して延びるように形成することによって、例えば、視覚障害者であっても、容器本体１１の外面を掴むだけで、吐出口１２の吐出方向Ｐに向かって湾曲して延びる凹凸１５を容易に触覚検出することができる。凹凸１５の傾斜方向を手で触れてなぞることで、容易に吐出口１２の吐出方向Ｐを知ることが可能になる。
【００１５】
このように、吐出口１２の吐出方向Ｐを示す凹凸１５を容器本体１１に形成することによって、視覚障害者であっても、吐出口１２に手で触って吐出方向Ｐを探さずに、凹凸１５に手を触れるだけで吐出方向Ｐを知ることができるので、吐出口１２に付着していた内容物が手に付くこともなく、安全かつ確実に内容物を目的の方向に吐出させることが可能になる。
【００１６】
なお、上述した実施形態では吐出口１２は固定した方向に屈曲して形成されているが、吐出口１２の形態はこれに限定されるものではなく、例えば、屈曲していない直線状の吐出口や、閉じ位置と使用位置とで回動可能な吐出口であっても良い。容器本体に形成される凹凸は、こうした吐出口の吐出方向に合わせて、吐出方法に向けて延びるように形成すればよい。
【００１７】
図３は、本発明の容器の第２の実施形態を示す外観斜視図である。この第２の実施形態の容器は、例えば、洗濯用液体洗剤を収容した、部分洗い用の洗剤容器（スポットクリーナー）である。こうした容器２０では、斜めに傾斜した吐出口２１の周辺に、汚れ落とし用のブラシ２２が植設されている。そして、容器本体２３の一方の側面の上方には、吐出口２１の吐出方向Ｐに向けて徐々に傾く３本の凹凸２４が容器本体２３と一体に形成されている。
【００１８】
このような容器２０も、３本の凹凸２４の傾斜方向を手で触って確認することによって、視覚障害者であっても、洗剤が付着している恐れのある吐出口２１周辺を触らずに、吐出方向Ｐを容易に把握することができ、安全かつ確実に内容物を目的の方向に吐出させることが可能になる。
【００１９】
図４は、本発明の容器の第３の実施形態を示す側面平面図である。この第３の実施形態の容器３０では、斜めに傾斜した吐出口３１の吐出方向Ｐに向けて延びる凹凸３２が容器本体３３の正面に一体に形成されている。
【００２０】
このような容器３０も、凹凸３２の傾斜方向を手で触って確認することによって、視覚障害者であっても、内容物が付着している恐れのある吐出口３１を触らずに、吐出方向Ｐを容易に把握することができ、安全かつ確実に内容物を目的の方向に吐出させることが可能になる。
【図面の簡単な説明】
【００２１】
【図１】図１は、本発明の容器を示す外観斜視図である。
【図２】図２は、本発明の容器の側面平面図である。
【図３】図３は、第２の実施形態の容器を示す外観斜視図である。
【図４】図４は、第３の実施形態の容器を示す外観斜視図である。
【符号の説明】
【００２２】
１０  容器
１１  容器本体
１２  吐出口
１３  吐出部
１４  ヒンジキャップ
１５  凹凸
【図１】
2006232284.tif 000003
【図２】
2006232284.tif 000004
【図３】
2006232284.tif 000005
【図４】
2006232284.tif 000006